(57)【要約】【課題】嵩張ることがなく、安価に製造することが可能であり、かつ、手術前、手術中、手術後において、確実にガーゼの数をカウントしつつ、ガーゼを収納することが可能なガーゼカウントホルダを提供すること。【解決手段】手術中に使用されるガーゼをカウントしつつ収納可能なガーゼカウントホルダにおいて、当該ガーゼカウントホルダを、板状体とし、当該板状体は、これを所定の間隔をおいて山折りと谷折りを繰り返し行うことによって形成される蛇腹形状を呈し、当該谷折りされた部分は１枚のガーゼを収納可能なガーゼ収納部となっており、前記板状体の少なくとも一部には、蛇腹形状を折り畳んだ状態で前記山折りされた部分の少なくとも一部と係止可能な係止部材が設けられている構造とする。【選択図】図１
2009254496.tif 000002
【特許請求の範囲】
【請求項１】
手術中に使用されるガーゼをカウントしつつ収納可能なガーゼカウントホルダであって、
当該ガーゼカウントホルダは、
板状体からなり、
当該板状体は、これを所定の間隔をおいて山折りと谷折りを繰り返し行うことによって形成される蛇腹形状を呈しており、
当該谷折りされた部分が、ガーゼの収納が可能なガーゼ収納部となっており、
前記板状体の少なくとも一部には、蛇腹形状を折り畳んだ状態で前記山折りされた部分の少なくとも一部と係止可能な係止部材が設けられていることを特徴とするガーゼカウントホルダ。
【請求項２】
前記山折りされた部分の頂点付近には、係止用切込部が設けられており、これにより当該山折りされた部分の頂点付近が前記係止部材と嵌合するための嵌合用山折部となっていることを特徴とする請求項１に記載のガーゼカウントホルダ。
【請求項３】
前記嵌合用山折部には、前記係止部材に引っかかるための引っかけ部が設けられていることを特徴とする請求項２に記載のガーゼカウントホルダ。
【請求項４】
前記嵌合用山折部の１箇所乃至２箇所を除いて全てに前記引っかけ部が設けられていることを特徴とする請求項３に記載のガーゼカウントホルダ。
【請求項５】
前記ガーゼ収納部には、当該ガーゼカウントホルダからガーゼを取り出す際に使用者の指を引っかけるための取出用切込部が設けられていることを特徴とする請求項１〜４のいずれか一項に記載のガーゼカウントホルダ。
【請求項６】
前記係止部材は、前記板状体の一端、もしくは両端と係止可能となっていることを特徴とする請求項１〜５のいずれか一項に記載のガーゼカウントホルダ。
【請求項７】
前記ガーゼ収納部は、１枚のガーゼが収納可能となっていることを特徴とする請求項１〜６のいずれか一項に記載のガーゼカウントホルダ。
【請求項８】
前記板状体には、ガーゼが収納される位置に合わせて連続番号が付されていることを特徴とする請求項１〜７のいずれか一項に記載のガーゼカウントホルダ。
【請求項９】
前記ガーゼ収納部に予めガーゼが収納されていることを特徴とする請求項１〜８のいずれか一項に記載のガーゼカウントホルダ。
【発明の詳細な説明】
【技術分野】
【０００１】
本発明は、手術前、手術中、手術後においてガーゼの枚数をカウントしつつ収納可能なガーゼカウントホルダに関する。
【背景技術】
【０００２】
腹部や胸部の手術など多くの手術において、患者の血液及び体液等を処理するために多量のガーゼが使用されている。使用したガーゼは患者の体内から全て取り出す必要があるのは当然であるため、手術前、手術後のみならず、手術中にも度々ガーゼカウントが行われる。例えば手術中であれば、手術のステップ毎（体位の変換が必要になる時等）や、使用した枚数毎にカウントを行うが、その都度枚数が合わなければ、カウントが終わるまで（使用前、使用済み及び使用中の枚数が合うまで）の間、手術は一次中断する、もしくは患者体内にガーゼを取り忘れていないかどうかの確認する場合もある。このような確認がなされている状況においてもなお、手術後（切開部を閉じた後）になって、ガーゼの取り忘れが判る事例も存在している。
【０００３】
このようなガーゼの取り忘れを防止するため、手術前、手術中及び手術後にガーゼカウントが行われるが、実際の医療現場では、ガーゼをテーブルの上や手術後であれば床も活用して１枚づつ並べてカウントを行い、１０枚数え終えたらひとまとめにして団子状にし、一目で数がわかるようにカウントすることが一般的に行われている。
【０００４】
ガーゼの数のカウントを行うに際しては、例えば、特許文献１〜３に記載されているような装置が開発されている。
【０００５】
しかしながら、これらの装置は何れも大がかりなものであり、手術室において当該装置の設置スペースを確保する必要があり、またコストパフォーマンス的にも優れているとは言えない。
【０００６】
このような状況において、近年は上記のような「装置」ではなく、より簡便で安価なガーゼカウントホルダが開発されている。
【０００７】
当該簡便なガーゼカウントホルダとしては、例えば、特許文献４〜７に記載されているものを挙げることができる。
【特許文献１】実開昭６２−１４２３１２号公報
【特許文献２】実開昭５５−０５９６０７号公報
【特許文献３】特開昭５５−０２４０２０号公報
【特許文献４】実登録３０９８９６６号公報
【特許文献５】実開平０６−０１１７０８号公報
【特許文献６】実公平０４−０４８１７４号公報
【特許文献７】特開２００１−２７８３３１号公報
【発明の開示】
【発明が解決しようとする課題】
【０００８】
しかしながら、前記特許文献４〜７に記載されているガーゼカウントホルダにあっても、その形状は非常に嵩張るものであり、また製造コストにおいても必ずしも安価であるとは言えず、これらの点において改良の余地がある。なお、特許文献７にあっては、嵩張りや製造コストにおいては、他の特許文献に開示されているものに比べ優れていると言えるが、そもそも特許文献７のガーゼカウントホルダは、手術において使用された後のガーゼを収納することを想定しておらず、使用済みのガーゼを鍵穴状切欠に収容する行為は、感染予防の観点から考えて望ましくなく、また、もし仮に使用後のガーゼを収容した場合には、ガーゼに吸液された血液や生理食塩水等の液体がガーゼから流出してしまう問題が生じ得る。したがって、当該特許文献７のガーゼカウントホルダは、手術前におけるガーゼのカウントには使用可能でも、手術後のガーゼのカウントに使用することは困難である。また、前記背景技術にて述べた一般的なカウント方法においても、人為的にカウントするために数え間違いを起こすリスクは低くなく、また一度カウントしたものを再度カウントし直すことは容易ではないため、安全面や手術の作業効率性の両面から、より簡便で、より確実性の高い、またコストのかからないカウント用品の開発が望まれていた。
【０００９】
本願発明はこのような状況においてなされた発明であり、嵩張ることがなく、安価に製造することが可能であり、かつ、手術前、手術中、手術後において、確実にガーゼの数をカウントしつつ、ガーゼを収納することが可能なガーゼカウントホルダを提供することを主たる課題とする。
【課題を解決するための手段】
【００１０】
上記課題を解決するための本発明は、手術中に使用されるガーゼをカウントしつつ収納可能なガーゼカウントホルダであって、当該ガーゼカウントホルダは、板状体からなり、当該板状体は、これを所定の間隔をおいて山折りと谷折りを繰り返し行うことによって形成される蛇腹形状を呈しており、当該谷折りされた部分が、ガーゼの収納が可能なガーゼ収納部となっており、前記板状体の少なくとも一部には、蛇腹形状を折り畳んだ状態で前記山折りされた部分の少なくとも一部と係止可能な係止部材が設けられていることを特徴とする。
【００１１】
また、当該発明においては、前記山折りされた部分の頂点付近には、係止用切込部が設けられており、これにより当該山折された部分の頂点付近が前記係止部材と嵌合するための嵌合用山折部となっていてもよい。
【００１２】
また、前記嵌合用山折部には、前記係止部材に引っかかるための引っかけ部が設けられていてもよい。
【００１３】
また、前記嵌合用山折部に設けられる引っかけ部は、ガーゼ収納部の総数に応じて適宜設計可能であるが、例えばガーゼ収納部が全部で１０個の場合には、嵌合用山折部の１箇所乃至２箇所を除いて全てに設けられていてもよい。
【００１４】
また、前記ガーゼ収納部の頂点付近には、当該ガーゼカウントホルダからガーゼを取り出す際に使用者の指を引っかけるための取出用切込部が設けられていてもよい。
【００１５】
また、前記係止部材は、前記板状体の一端、もしくは両端と係止可能となっていてもよい。
【００１６】
また、前記ガーゼ収納部は、１枚のガーゼが収納可能となっていることが好ましい。
【００１７】
さらに、前記板状体には、ガーゼが収納される位置に合わせて連続番号が付されていてもよい。
【００１８】
さらにまた、ガーゼカウントホルダのガーゼ収納部には、予めガーゼが収納されていてもよい。
【発明の効果】
【００１９】
上記本願発明によれば、板状体からなり、当該板状体は、これを所定の間隔をおいて山折りと谷折りを繰り返し行うことによって形成される蛇腹形状を呈しており、当該谷折りされた部分は、ガーゼの収納が可能なガーゼ収納部となっている。ガーゼの収納枚数は一のガーゼ収納部に１枚が好ましく、手術現場において手術前に看護師等が板状体がガーゼ収納部にガーゼを一枚ずつ収納することによりガーゼをカウントすることができるし、医療機器メーカーにおいて予めガーゼを収納したセット品であれば、セットされた状態のままでガーゼをカウントすることも可能である。また、手術中や手術後においても同様に収納することによって使用後のガーゼをカウント（確認）することができるし、仮に使用後のガーゼをカウントし直す必要があった際も、板状体が係止された（セットされた）状態のままで、もしくは板状体を展開した状態の何れの状態でもカウントをし直すことが容易であるし、カウントを終えたものについては、そのまま廃棄できる利点もある。
【００２０】
また、当該ガーゼカウントホルダは、基本的には板状体のみから構成可能であるため、従来のガーゼカウントホルダに比べて製造コストを大幅に削減することができるとともに、蛇腹形状を縮める方向に変形し、その山折りされた部分の少なくとも一部と、板状体の少なくとも一部に設けられた係止部材とを係止することが可能となっているため、全体をコンパクトに折り畳むことができる。
【００２１】
この場合において、蛇腹形状の山折りされた部分の頂点付近に前記係止部材と嵌合するための係止用切込部を設けることで、当該部分を嵌合用山折部とすることにより、全体をコンパクトに折り畳むことができ、使用するガーゼを予め収納したセット品の製造後の輸送や折り畳み後のカウント及び廃棄に便利である。
【００２２】
また、前記嵌合用山折部には、前記ガーゼ収納部に引っかけ部を設けてもよく、これにより嵌合をより確実なものとすることができる。
【００２３】
また、前記係止部材は、前記板状体の一端もしくは両端と係止可能となっていてもよい。当該構成によっても嵌合を確実なものとすることができる。
【００２４】
また、ガーゼ収納部の例えば外辺付近に当該ガーゼカウントホルダからガーゼを取り出す際に使用者の指を引っかけるための取出用切込部が設けておくことにより、手術開始時において、当該ガーゼカウントホルダにガーゼを収納してガーゼの枚数を確認後、複数のガーゼの全部を一括してガーゼカウントホルダから取り出すことができ便利である。
【００２５】
また、ガーゼカウントホルダを構成する板状体において、ガーゼが収納される位置に合わせて連続番号が付しておくことにより、ガーゼの枚数確認がより簡単になる。
【発明を実施するための最良の形態】
【００２６】
本願発明のガーゼカウントホルダについて図面を用いて説明する。
【００２７】
図１は、本願発明のガーゼカウントホルダ１の斜視図である。
【００２８】
図２は、本願発明のガーゼカウントホルダ１にガーゼを収納した場合の斜視図である。
【００２９】
図１、２に示すように、本願発明のガーゼカウントホルダ１は、全体として板状体２からなり、当該板状体２は、これを所定の間隔をおいて山折りＹと谷折りＴを繰り返し行うことによって形成される蛇腹形状を呈しており、当該谷折りされた部分が、１枚のガーゼ１００が収納可能なガーゼ収納部３となる。
【００３０】
そして、板状体２の少なくとも一部（図１、２に示すガーゼカウントホルダ１の場合は右端）には、係止部材４が設けられている。当該係止部材４は、蛇腹形状を折り畳んだ状態において、前記山折りされた部分Ｙの少なくとも一部（図１、２においては、その頂点部分に位置する嵌合用山折部Ｙ１）と嵌合可能となっている。また、係止部剤４は、前記板状体の一端（図１、２においては左端（符号５））とも係止（ロック）可能となっている。
【００３１】
このような本願発明のガーゼカウントホルダ１によれば、手術前においては、図２に示すように、板状体２が谷折りされた部分Ｔにガーゼ１００を一枚ずつ収納することによりガーゼ１００をカウントすることができるし、医療機器メーカーにおいて予めガーゼを収納したセット品であれば、セットされた状態のままでガーゼをカウントすることも可能である。また、手術中や手術後においても同様に収納することで使用後のガーゼ１００をカウント（確認）することができし、仮に使用後のガーゼをカウントし直す必要があった際も、板状体２が係止された（セットされた）状態のままで、もしくは板状体２を展開した状態の何れの状態でもカウントし直すことが容易にできる。当該ガーゼカウントホルダ１は、基本的には板状体２のみから構成可能であるため、従来のガーゼカウントホルダに比べて製造コストを大幅に削減することができる。
【００３２】
ここで、本願発明のガーゼカウントホルダ１を構成する板状体２の材質については、本願は特に限定することはなく、例えば紙やプラスチック樹脂等を用いることができる。本願発明のガーゼカウントホルダ１は、使用後の血液等が付着したガーゼに対しても使用するため、使い捨てとすることが想定され、その場合にはコストを考慮すると材質は紙であることが好ましい。
【００３３】
また、本願発明のガーゼカウントホルダ１全体の大きさについても特に限定されることはなく、自由に設計可能である。ガーゼ収納部３の数だけガーゼ１００を収納可能であることを考慮すると、当該ガーゼ収納部３の数（谷折り部分の数）は、数えやすい数とすることが好ましく、例えば図示するように１０コとする他、５コ、１２コ、２０コなどが考えられる。
【００３４】
図３（ａ）は、図２に示す本願ガーゼカウントホルダ１を折り畳んだ状態をしめす斜視図であり、（ｂ）は、図２とは別の本願ガーゼカウントホルダを折り畳んだ状態をしめす斜視図である。
【００３５】
図３（ａ）に示すように、本願発明のガーゼカウントホルダ１は、板状体２の少なくとも一部（図１、２に示すガーゼカウントホルダ１の場合は右端）に形成された係止部材４と、前記山折りされた部分Ｙの少なくとも一部（図１、２においては、その頂点部分に位置する嵌合用山折部Ｙ１）とを係止可能となっており、全体をコンパクトに折り畳むことができる。
【００３６】
より具体的には、図３（ａ）に示す本願ガーゼカウントホルダ１にあっては、ガーゼ１００が収納された状態で、蛇腹形状を折り畳み、１０コの山折りされた部分の各々の頂点部分に位置する嵌合用山折部Ｙ１をまとめて係止部材４で係止し、かつ板状体２の係止部材４が形成されていない一端５と係止部材４とでロックしている。このような形態とすることにより、谷折りされた部分３に収納されたガーゼ１００が係止部材４により蓋をされた状態となり、ガーゼ１００が脱落することを防止することができるとともに、コンパクトに折り畳むことができる。なお、当該係止機構は、係止部材４と嵌合用山折部Ｙ１との係止にて十分な係止力があるが、図３（ａ）に示すように、係止部材４と係止部材が形成されていない一端５とのロックをすれば、万が一なんらかの拍子で係止部材４と、嵌合用山折部Ｙ１との係止が外れそうになっても、全ての係止状態が外れることはなく、ガーゼカウントホルダの係止状態を良好に保つことができる。
【００３７】
従って、係止部材４と嵌合用山折部Ｙ１との係止力が十分であると判断される場合には、図３（ｂ）に示すように、係止部材４と係止部材が形成されていない一端５とのロックをする必要はない。
【００３８】
また、係止部材４は、山折りされた部分の中央に隣接するように２箇所設け、それぞれを板状態２の端部に向けて嵌合用山折部と係止し、必要に応じて各端部とロックする機構でもよい（図示せず）。
【００３９】
図４（ａ）〜（ｃ）は、図１〜３に示す本願ガーゼカウントホルダ１の一部拡大平面図である。
【００４０】
本願のガーゼカウントホルダ１においては、係止部材４、および山折りされた部分Ｙの頂点付近の形状については特に限定することはなく、これらの部位が互いに係止可能となる形状であればよいが、例えば、図４（ａ）〜（ｃ）に示すように、各山折りされた部分Ｙの頂点付近のそれぞれに係止用切込部６を設け嵌合用山折部Ｙ１とする一方で、係止部材４を、図４（ａ）に示すように前記嵌合用山折部Ｙ１を差し込めるような穴あき形状とすることにより、図３（ａ）または図３（ｂ）に示すような係止が可能となる。
【００４１】
また、ここでさらに、当該嵌合用山折部Ｙ１においては、係止部材４が山折りされた部分Ｙに引っかかるような引っかけ部７を設けてもよい。当該引っかけ部７を設けることにより、係止部材４との係止をより確実なものとすることができる。なお、当該引っかけ部７にあっては、山折りされた部分Ｙの全てに設けると、かえって取り外し難くなる可能性があるため、例えば１０コある山折りされた部分Ｙのうち、７〜９コにのみに設けてもよい（図４（ａ）にあっては、係止部材４に近い側の山折りされた部分Ｙには引っかけ部７は形成されていない。）。
【００４２】
また、図４（ｂ）に示す板状体の谷折り部の長さＧと、図４（ｃ）引っかけ部の長さＨを調整することにより、係止状態を良好に保つことが可能となる。例えば、１の谷折り部に１枚のガーゼを収納するには、長さＧは収納時のガーゼ（折り畳んだ状態のガーゼ）の幅以上とすればよいが、２０〜１００ｍｍ程度が好ましい。また、長さＨにあっても、係止部材４が係止可能であれば自由に設計可能であるが、２〜２０ｍｍ程度が好ましい。また、ガーゼカウントホルダの幅Ｔについても適宜設計可能であるが、例えば１０〜３００ｍｍ程度が好ましく、３０〜１００ｍｍが特に好ましい。
【００４３】
一方で、本願のガーゼカウントホルダ１においては、図４（ａ）や（ｂ）に示すように、ガーゼ収納部３の外辺付近に、ガーゼカウントホルダ１からガーゼ１００をまとめて取り出す際に使用者の指を引っかけるための取出用切込部８を設けてもよい。
【００４４】
図５は、本願のガーゼカウントホルダ１に収納された複数枚（１０枚）のガーゼ１００をまとめて取り出す際の工程を示す図である。
【００４５】
図５（ａ）に示すように、ガーゼカウントホルダ１の谷折り部分Ｔが上になるようにして、収納されたガーゼ１００の全体を握り、図５（ｂ）に示すように、係止部材４を外す。
【００４６】
ついで、図５（ｃ）に示すように、ガーゼ１００を握っている手とは反対の手でガーゼカウントホルダ１の谷折り部分Ｔの頂点付近を握り、図５（ｄ）に示すように、ガーゼカウントホルダ１を前方へ押し出すようにする。その結果、図５（ｅ）に示すように、ガーゼカウントホルダ１に収納されていた複数枚（１０枚）のガーゼ１００をまとめて取り出すことができる。
【００４７】
この場合において、図４（ａ）や（ｂ）に示すように、ガーゼカウントホルダ１のガーゼ収納部３の外辺付近に取出用切込部８を設けておくことにより、当該部分に指（手）を引っかけることができ、便利である。従って、当該取出用切込部８は、各ガーゼ収納部３の外辺付近の同一の場所に同一形状で設けることが好ましく、その形状は図４（ａ）や（ｂ）に示すような台形形状が好ましい。
【００４８】
図６は、図１〜５に示した本願ガーゼカウントホルダ１の板状体２を平らに引き延ばした状態を示す展開図である。
【００４９】
図６に示すように、当該板状体２にあっては、ガーゼが収納される位置に合わせて連続番号Ｎが付されている。このような連続番号Ｎを付すことにより、ガーゼカウントホルダ１を用いてガーゼをカウントする際に便利である。
【００５０】
なお、当該連続番号Ｎを付す方法については、特に限定されることはなく、印刷やエンボス、さらには微細な孔によって数字を表示するなど、種々の方法が考えられる。また、図示するように、上下交互に数字を付してもよく、この場合にはガーゼカウントホルダ１の方向を問わず、当該数字を確認することができる。
【００５１】
また、図６に示すように、ガーゼカウントホルダのちょうど中央に位置する山折り部に目印Ｓを設けてもよい。当該目印Ｓを設けておくことにより、ガーゼのカウントに際し、より便利となる。
【００５２】
また、本発明のガーゼカウントホルダが、ガーゼカウントホルダの谷折りされた部分に予めガーゼを収納したセット品であれば、手術前のガーゼのカウントにおいて、手術現場で看護師がガーゼを収納する行為が省け、且つカウントは図５（ａ）に示すように板状体の谷折り部側からカウントすることが容易にできる。
【００５３】
以上説明したように、本願のガーゼカウントホルダは構造が簡単であり安価な材料により製造することができるため、コストを低廉に押さえることができるとともに、コンパクトに折り畳みが可能であるため、設置スペースについて考慮する必要がなく、保管も容易となる。
【図面の簡単な説明】
【００５４】
【図１】本願発明のガーゼカウントホルダ１の斜視図である。
【図２】本願発明のガーゼカウントホルダ１にガーゼを収納した場合の斜視図である。
【図３】（ａ）は、図２に示す本願ガーゼカウントホルダ１を折り畳んだ状態をしめす斜視図であり、（ｂ）は、図２とは別の本願ガーゼカウントホルダを折り畳んだ状態をしめす斜視図である。
【図４】図１〜３に示す本願ガーゼカウントホルダ１の一部拡大平面図である。
【図５】本願のガーゼカウントホルダ１に収納された複数枚（１０枚）のガーゼ１００をまとめて取り出す際の工程を示す図である。
【図６】図１〜５に示した本願ガーゼカウントホルダ１の板状体２を平らに引き延ばした状態を示す展開図である。
【符号の説明】
【００５５】
１…ガーゼカウントホルダ
２…板状体
３…ガーゼ収納部
４…係止部材
５…板状体の係止部材が形成されていない一端
６…係止用切込部
７…引っかけ部
８…取出用切込部
Ｙ…山折り、山折りされた部分
Ｙ１…嵌合用山折部
Ｔ…谷折り、谷折りされた部分
Ｎ…連続番号
１００…ガーゼ
【図１】
2009254496.tif 000003
【図２】
2009254496.tif 000004
【図３】
2009254496.tif 000005
【図４】
2009254496.tif 000006
【図５】
2009254496.tif 000007
【図６】
2009254496.tif 000008